(57)【特許請求の範囲】
【請求項１】
機能素子部を収納するケース部と、軸受で保持されて上方に突出する上記機能素子部作動用の回転軸と、その回転軸の上部に係止された軸長調整軸とを備え、上記回転軸は、上部側面に上端位置から下方に軸線方向に伸びる係合溝を備え、その係合溝は、溝幅が側方に広がる拡大部を有し、上記軸長調整軸の筒状部分の内周面に設けられた突起が上記拡大部の側方に広がった領域内に位置すると共に、上記係合溝内に上方から挿入された軸線方向に沿って伸びる係止部材の線状部で上記突起が側方への移動規制をされて係止されていることを特徴とする回転型電子部品。
【請求項２】
拡大部の側方に広がった領域における上下いずれかの端面に対し、突起の対応する端面が圧入状態で係止されていることを特徴とする請求項１記載の回転型電子部品。
【請求項３】
回転軸の係合溝が拡大部のみで形成され、軸長調整軸に設けられた突起が、上記拡大部内に挿入された軸線方向に沿って伸びる係止部材の線状部で上記拡大部の側壁面に圧接状態に押し当てられて係止されていることを特徴とする請求項１記載の回転型電子部品。
【請求項４】
機能素子部を収納するケース部と、軸受で保持されて上方に突出する上記機能素子部作動用の回転軸と、その回転軸の上部に係止された軸長調整軸とを備え、上記軸長調整軸は、少なくとも下端部が筒状であると共に、その内周面を含めて上下の軸線方向に貫通する係合溝を備え、その係合溝は、溝幅が側方に広がる拡大部を有し、上記回転軸の上部側面に設けられた突起が上記拡大部内に位置すると共に、上記係合溝内に上方から挿入された軸線方向に沿って伸びる係止部材の線状部で上記突起が側方への移動規制をされて係止されていることを特徴とする回転型電子部品。
【請求項５】
請求項１記載の回転型電子部品の製造方法であって、上部側面の上端位置から下方に軸線方向に伸び、その溝幅が側方に広がる拡大部を有する係合溝を備えた機能素子部作動用の回転軸を、機能素子部を収容させたケース部に組み合わされる軸受に対し、その上部を上方に突出させて回転可能に保持させる工程と、筒状部分の内周面に突起が設けられた軸長調整軸を準備して、上記回転軸と上記軸長調整軸とを軸線方向で移動させて上記突起を上記拡大部内の位置に挿入させる工程と、上記軸長調整軸または上記回転軸を回転させて上記突起を上記拡大部の側方に広がった領域内に移動させる工程と、軸線方向に沿って伸びる係止部材の線状部を上記係合溝に対して上方から挿入し上記線状部によって上記突起の側方への移動規制をなして係止させる工程を含む回転型電子部品の製造方法。
【請求項６】
請求項４記載の回転型電子部品の製造方法であって、上部側面に突起を備えた機能素子部作動用の回転軸を、機能素子部を収容させたケース部に組み合わされる軸受に対し、その上部を上方に突出させて回転可能に保持させる工程と、少なくとも下端部が筒状であると共に、その内周面を含めて上下の軸線方向に貫通し、溝幅が側方に広がる拡大部を有する係合溝を備えた軸長調整軸を準備して、上記回転軸と上記軸長調整軸とを軸線方向で移動させて上記突起を上記拡大部内の位置に挿入させる工程と、上記軸長調整軸または上記回転軸を回転させて上記突起を上記拡大部の側方に広がった領域内に移動させる工程と、軸線方向に沿って伸びる係止部材の線状部を上記係合溝に対して上方から挿入し上記線状部によって上記突起の側方への移動規制をなして係止させる工程を含む回転型電子部品の製造方法。
【発明の詳細な説明】
【技術分野】
【０００１】
本発明は、各種電子機器の入力操作部を構成する際などに用いられる回転型電子部品およびその製造方法に関するものである。
【背景技術】
【０００２】
従来の回転型電子部品について、汎用構成の回転型エンコーダを例として以下に図面を用いて説明する。
【０００３】
図１５は従来の回転型エンコーダの断面図、図１６は同要部である軸受と操作軸の組み立て状態を示す図である。
【０００４】
同図に示すように、樹脂からなるケース部１０の上部にはダイカスト製の軸受１が結合されており、その軸受１の円形の中心孔１Ａには、同じくダイカスト製で棒状に形成された操作軸２の円柱部２Ａが嵌合保持され、操作軸２は回転及び軸線方向の動きが可能となっている。この操作軸２は、上部が大径部２Ｅとしてなると共に、略中央位置に設けられた細径溝部２Ｂに軸受１の中心孔１Ａよりも大きい外形のＣ形の止めリング４が装着されて上方への抜け防止がなされている。
【０００５】
この操作軸２は、図１６に示すように、軸受１の上方から中心孔１Ａ内に挿通され、その下端側から止めリング４を細径溝部２Ｂ位置まで嵌め込んでいって上記状態に組み込まれている。
【０００６】
そして、操作軸２は、下方が非円形断面部２Ｃに構成され、その非円形断面部２Ｃには、エンコーダ部５の回転体６が回転運動は伝達されるが軸線方向の動きは伝わらないように係合され、さらにその後端部２Ｄはプッシュ操作型のスイッチ部７のばね性を有する可動接点体８に当接して操作軸２全体が上方へ押された状態となって、上記止めリング４は軸受１の中心孔１Ａの周囲天面部分に当接している。なお、９は軸受１の下面に装着されたバネ体であり、下方側に向かって伸ばされた弾性アームが、回転体６の上面に設けられた放射状凹凸部に弾接している。このバネ体９は、回転体６の回転時に回転トルクを発生させると共に、所定の操作角度位置でクリック感触を発生させるために配されている。
【０００７】
上記のように構成された従来のプッシュスイッチ付回転型エンコーダは、操作軸２上方の大径部２Ｅにつまみ３が装着されて使用され、そのつまみ３を回転操作して操作軸２を回転させると、回転体６が回転運動をしてエンコーダ部５から端子を介してパルス信号が得られる。一方、つまみ３を押して操作軸２を押し込むと、スイッチ部７における端子間が導通状態となるものであった。
【０００８】
なお、この出願の発明に関連する先行技術文献情報としては、例えば、特許文献１が知られている。
【特許文献１】特開平１０−６４３７５号公報
【発明の開示】
【発明が解決しようとする課題】
【０００９】
上記従来の回転型電子部品（回転型エンコーダ）は、各種電子機器の入力操作部を構成する際などに用いられるが、その入力操作部の構成は機器ごとに異なる。
【００１０】
特に、操作するつまみ３と当該回転型電子部品が装着される配線基板間の高さ寸法は、その入力操作部の構成に応じて異なり、顧客からはそれに対応する操作軸２の長さ寸法のものを都度要望されていた。
【００１１】
本発明は、このような従来の課題を解決するものであり、顧客からの軸長要望のものに容易に対応できる構成とされた回転型電子部品を提供することを目的とする。
【課題を解決するための手段】
【００１２】
上記目的を達成するために本発明は、以下の構成を有するものである。
【００１３】
本発明の請求項１に記載の発明は、機能素子部を収納するケース部と、軸受で保持されて上方に突出する上記機能素子部作動用の回転軸と、その回転軸の上部に係止された軸長調整軸とを備え、上記回転軸は、上部側面に上端位置から下方に軸線方向に伸びる係合溝を備え、その係合溝は、溝幅が側方に広がる拡大部を有し、上記軸長調整軸の筒状部分の内周面に設けられた突起が上記拡大部の側方に広がった領域内に位置すると共に、上記係合溝内に上方から挿入された軸線方向に沿って伸びる係止部材の線状部で上記突起が側方への移動規制をされて係止されていることを特徴とする回転型電子部品である。
【００１４】
当該構成であれば、顧客から要望された軸長のものに対し、回転軸と軸長調整軸とが簡素な凹凸部分での係合で、その抜け止めが軸線方向に伸びる係止部材の線状部で回転型電子部品の主要本体部分に一体化させて係止させるのみで対応できるため、短納期化などが図れると共に、軸長違いの多彩な回転型電子部品が容易に提供可能となるという作用を有する。
【００１７】
請求項２に記載の発明は、請求項１記載の発明において、拡大部の側方に広がった領域における上下いずれかの端面に対し、突起の対応する端面が圧入状態で係止されていることを特徴とするものであり、回転軸と軸長調整軸との係止状態が、より安定してガタツキのない状態で一体化されたものに構成できるという作用を有する。
【００１８】
請求項３に記載の発明は、請求項１記載の発明において、回転軸の係合溝が拡大部のみで形成され、軸長調整軸に設けられた突起が、上記拡大部内に挿入された軸線方向に沿って伸びる係止部材の線状部で上記拡大部の側壁面に圧接状態に押し当てられて係止されていることを特徴とするものであり、回転軸の係合溝が簡素な構成のもので済むという作用を有する。
【００１９】
請求項４に記載の発明は、機能素子部を収納するケース部と、軸受で保持されて上方に突出する上記機能素子部作動用の回転軸と、その回転軸の上部に係止された軸長調整軸とを備え、上記軸長調整軸は、少なくとも下端部が筒状であると共に、その内周面を含めて上下の軸線方向に貫通する係合溝を備え、その係合溝は、溝幅が側方に広がる拡大部を有し、回転軸の上部側面に設けられた突起が上記拡大部内に位置すると共に、上記係合溝内に上方から挿入された軸線方向に沿って伸びる係止部材の線状部で上記突起が側方への移動規制をされて係止されていることを特徴とする回転型電子部品であり、当該構成であっても請求項１記載の発明による作用と同様に、回転軸と軸長調整軸とが、簡素な凹凸部分での係合で、その抜け止めが軸線方向に伸びる係止部材の線状部で確実になされたものに構成できるという作用を有する。
【００２０】
請求項５に記載の発明は、請求項１記載の回転型電子部品の製造方法であって、上部側面の上端位置から下方に軸線方向に伸び、その溝幅が側方に広がる拡大部を有する係合溝を備えた機能素子部作動用の回転軸を、機能素子部を収容させたケース部に組み合わされる軸受に対し、その上部を上方に突出させて回転可能に保持させる工程と、筒状部分の内周面に突起が設けられた軸長調整軸を準備して、上記回転軸と上記軸長調整軸とを軸線方向で移動させて上記突起を上記拡大部内の位置に挿入させる工程と、上記軸長調整軸または上記回転軸を回転させて上記突起を上記拡大部の側方に広がった領域内に移動させる工程と、軸線方向に沿って伸びる係止部材の線状部を上記係合溝に対して上方から挿入し上記線状部によって上記突起の側方への移動規制をなして係止させる工程を含む回転型電子部品の製造方法である。
【００２１】
当該製造方法によれば、上記回転軸に対する上記軸長調整軸の一体化のための各工程が部材の軸線方向への直線的な移動や軸の回転移動で行えるので組み立て工数などが少なく機械化なども容易であるという作用を有する。
【００２２】
請求項６に記載の発明は、請求項４記載の回転型電子部品の製造方法であって、上部側面に突起を備えた機能素子部作動用の回転軸を、機能素子部を収容させたケース部に組み合わされる軸受に対し、その上部を上方に突出させて回転可能に保持させる工程と、少なくとも下端部が筒状であると共に、その内周面を含めて上下の軸線方向に貫通し、溝幅が側方に広がる拡大部を有する係合溝を備えた軸長調整軸を準備して、上記回転軸と上記軸長調整軸とを軸線方向で移動させて上記突起を上記拡大部内の位置に挿入させる工程と、上記軸長調整軸または上記回転軸を回転させて上記突起を上記拡大部の側方に広がった領域内に移動させる工程と、軸線方向に沿って伸びる係止部材の線状部を上記係合溝に対して上方から挿入し上記線状部によって上記突起の側方への移動規制をなして係止させる工程を含む回転型電子部品の製造方法であり、当該製造方法も請求項５記載の発明による作用と同様に、上記回転軸に対する上記軸長調整軸の一体化のための各工程が部材の軸線方向への直線的な移動や軸の回転移動で行えるので組み立て工数などが少なく機械化なども容易であるという作用を有する。
【発明の効果】
【００２３】
以上のように本発明によれば、顧客から要望された軸長のものに対し、それに応じる軸長調整軸を、軸線方向に沿って伸びる係止部材の線状部で、回転型電子部品の主要本体部分に一体化させて係止させることにより、軸長の異なる多彩な回転型電子部品が容易に提供可能になるという有利な効果が得られる。
【発明を実施するための最良の形態】
【００２４】
本発明の実施の形態について、従来と同様に回転型エンコーダを例として以下に図面を用いて説明する。なお、従来と同一構成部分には同一符号を付して詳細な説明は省略する。
【００２５】
（実施の形態１）
図１は本発明の第１の実施の形態による回転型エンコーダの断面図、図２は同要部である軸部分における組み合わせ前の分解斜視図である。
【００２６】
同図において、２０は、円柱状または円筒状の略円形棒状で、その中間位置に設けられたリング状突出部２０Ａからの上部が円柱部２０Ｂに形成された回転軸であり、この回転軸２０は、樹脂製のケース部１０の上部に結合されたダイカスト製の軸受１の中心孔１Ａに下方側から挿通されて回転及び軸線方向の動きが可能なように嵌合保持されている。
【００２７】
そして、上記ケース部１０には、従来と同じく機能素子部としてなるエンコーダ部５およびプッシュ操作型のスイッチ部７が構成されており、回転軸２０の下方の非円形断面部２０Ｃにエンコーダ部５の回転体６が回転運動は伝達されるが軸線方向の動きは伝わらないように係合され、さらにその後端部２０Ｄはスイッチ部７のばね性を有する可動接点体８に当接して回転軸２０全体は上方に押された状態となっており、このため回転軸２０は、リング状突出部２０Ａの上面部が軸受１における中心孔１Ａの周囲天面部分に当接して上方への抜け止めが図られている。なお、軸受１の下面にはバネ体９が装着されており、その弾性アームが回転体６の上面に設けられた放射状凹凸部に弾接していることなどは従来と同じである。
【００２８】
そして、上記軸受１から上方に突出している回転軸２０の上部部分の側面にあたる外周円周面には係合溝２５が設けられている。上記係合溝２５は、側面視でＬ字状をなし、回転軸２０上端から軸線方向に沿って一定幅で下方に伸びる上方溝部２６と、その上方溝部２６の下部に繋がり溝幅が側方に矩形で広がる拡大部２７とからなる。なお、以下には、図１や図２に記載した左の周方向側に拡大部２７が広がって形成されたＬ字状の係合溝２５のものを例として説明し、その説明では、図２に示したように、上記拡大部２７の広がった方向側を左、その逆の方向側を右と定義して説明する。
【００２９】
そして、上記係合溝２５は、回転軸２０の中心軸線に対し、全て同一の深さで設けられている。つまり、その底面は、回転軸２０の外周円周面に平行なものとして形成されている。
【００３０】
また、拡大部２７の下方内壁面は、軸線方向と直交する水平な平坦面として形成されている。それに対し、拡大部２７の上方溝部２６から左側に広がる位置の上方内壁面は、同様に水平な平坦面もしくは上方溝部２６から左側に離れるにつれて上下寸法が大きくなる傾斜状態の面に形成されている。また、拡大部２７と上方溝部２６の右側内壁面どうしは、段差などなく同一面で構成されている。
【００３１】
上記形状の係合溝２５は、回転軸２０の中心軸線に対し線対称位置の二箇所に設けられている。
【００３２】
そして、回転軸２０の上部には、軸長調整軸３０が結合されて一体化されている。
【００３３】
この軸長調整軸３０は、略円筒状で、その内周円周面に直方体状で内側に突出する二つの突起３５を備えており、上記各係合溝２５に対応する上記各突起３５は、拡大部２７の左側に広がった領域内に位置している。なお、上記突起３５の上面は、上記係合溝２５の底面に沿う形状で形成されている。
【００３４】
また、詳細は後述するが、突起３５は拡大部２７の上記左側に広がった領域における上方および下方内壁面間に圧入状態で保持されている。なお、回転軸２０と軸長調整軸３０とは同じ材質どうしとすることが好ましく、特に高温高湿条件下などでの寸法変動が少なくて硬度も高いダイカスト製どうしとすると、上記圧入保持状態が安定して好ましい。
【００３５】
そして、４０は、上部の中実円柱状に形成されたキャップ部４１と、軸線方向に沿って平行に下方に直線状に伸びる一対の線状部４５とを備えた係止部材であり、上記各線状部４５が軸長調整軸３０の上方から各係合溝２５内に挿通されて組み込まれている。各線状部４５は、一定幅で構成されている。そして、その線状部４５は、拡大部２７内まで挿入され、少なくとも線状部４５の下方位置では、その左側の側端面が突起３５の右側の側端面に、またその右側の側端面が拡大部２７の右側内壁面に圧接状態となるように圧入されており、この線状部４５によって上記突起３５は側方への移動規制が確実になされた係止状態となっている。なお、回転軸２０および軸長調整軸３０がダイカスト製のものであれば、係止部材４０もダイカスト製とすることが好ましい。なお、係止部材は、少なくとも線状部を備えていればよく、丸断面または角断面をもつ針金状の金属製の鋼線をコの字状に曲げて形成されていたり、係合溝２５ごとに個々のものが圧入されていてもよい。
【００３６】
また、当該構成のように軸長調整軸３０が略円筒状の場合には、係止部材４０としてキャップ部４１を有するものが好ましい。つまり、組み込まれた状態で、キャップ部４１下面外周が軸長調整軸３０の内周中間段部３０Ａに当接して係止部材４０の下方への移動規制をすると共に、キャップ部４１によって軸長調整軸３０の上部が覆われて軸長調整軸３０内に塵埃が入らない構成にできるためである。
【００３７】
本発明によるプッシュスイッチ付回転型エンコーダは、以上のように構成され、軸長調整軸３０につまみ３を装着して各種機器の入力操作部を構成する際などに使用される。
【００３８】
その動作は、つまみ３を回転操作して軸長調整軸３０と一体化している回転軸２０を回転させると、回転体６が回転運動をしてエンコーダ部５から端子を介して所定のパルス信号が得られ、また、つまみ３を押して軸長調整軸３０と一体化している回転軸２０を押し込むと、スイッチ部７における端子間が導通状態となる。
【００３９】
本発明によるものは、上記のように軸長調整軸３０を回転軸２０に一体化させて構成したものであるため、軸長調整軸３０を組み付ける前までの主要本体部分を標準的に製作しておき、顧客から要求された軸長にあわせて、事前に準備した数種類の長さの軸長調整軸３０およびそれに対応する係止部材４０の中から対応する長さのものを選び、それらを回転軸２０に組み込み軸長調整軸３０を含んで要望された軸長のものとして迅速に対応することができる。
【００４０】
ここで、当該回転型電子部品の製造方法につき、その要部の軸長調整軸３０の組み込み方法を図面を用いて説明する。なお、各図においては、判り易くするため、ケース部１０などの図示は省略している。
【００４１】
まず、上部側面の外周円周面に係合溝２５を備えた機能素子部作動用の上記回転軸２０を準備し、図３に示すように、その上部部分が上方に突出するように軸受１の下方側から回転軸２０を中心孔１Ａ内に挿入させる。その後、上記軸受１を、エンコーダ部５およびスイッチ部７の構成部材が組み込まれたケース部１０などと組み合わせ、回転軸２０で機能素子部が操作可能な主要本体部分を製作する。
【００４２】
続いて、上記係合溝２５の上方溝部２６よりも細幅の突起３５を円筒部の内周円周面に備えた上記軸長調整軸３０を準備し、その軸長調整軸３０を上記回転軸２０の上部部分に対し、上記各突起３５を上記回転軸２０の各係合溝２５の上方溝部２６に沿わせつつ、図４に実線矢印で示すように、軸線方向で軸長調整軸３０を挿入させていく。その突起３５の係合溝２５への挿入状態を側面視で図５に示す。
【００４３】
そして、上記軸長調整軸３０の挿入は、図６に示したように、下方側に相当する突起３５の下方側端面が、拡大部２７の下方内壁面に当接して停止される。なお、軸長調整軸３０は複数のものの中から必要に応じた長さ寸法のものを選択して用いている。また、その突起３５においても、上記停止状態で、突起３５の上方側端面が、拡大部２７の上方内壁面よりも若干上方側に突出した状態となる寸法のものを用いている。
【００４４】
続いて、図６に実線矢印で示すように、上記突起３５が上記拡大部２７の左側に広がっている領域内に位置するように、上記軸長調整軸３０または上記回転軸２０を回転させる。このとき、突起３５は、上記左側に広がった領域を含めて平坦に形成されている拡大部２７の下方内壁面に沿って回転移動していき、拡大部２７の上記左側に広がった領域の上方および下方内壁面間に圧入されていく。なお、上記回転移動に伴って圧入される方式としては、上記寸法関係に設定してなされるもの以外に、例えば、拡大部よりも短寸法の突起が、拡大部の上方内壁面に形成された圧入用凸部を潰しながら圧入状態となるものなどでもよく特に限定されるものではない。
【００４５】
そして上記回転移動は、突起３５の左側の側端面が拡大部２７の左側内壁面に当接するまで行われ、その停止状態で、突起３５の右側の側端面は上方溝部２６における左側内壁面より若干突出した状態となる。
【００４６】
最後に、上記各上方溝部２６に応じて直線状に下方に伸びる一対の線状部４５を備えた係止部材４０を準備して、図７および図８に実線矢印で示すように、上記各線状部４５を上記軸長調整軸３０の上方から各上方溝部２６内に挿入させていく。このとき、線状部４５としては、少なくとも上記突起３５位置に応じた部分で、左右側の側端面が上記突起３５の右側の側端面と上記拡大部２７の右側内壁面との間で圧入される寸法のものを用い、線状部４５を拡大部２７内に挿入させることによって突起３５は抜け方向側となる周方向における回転止めがなされて軸長調整軸３０は回転軸２０とガタツキなく一体化される。なお、係止部材４０は、中実のキャップ部４１が、軸長調整軸３０の内周中間段部３０Ａに当接することにより下方移動が停止され、上記に説明した本発明による軸構成のものとして完成される。
【００４７】
以上のように本発明による製造方法では、上記軸長調整軸３０の組み込み時の各工程が、部材の軸線方向への直線的な移動や軸の回転移動で行えるので組み立て工数などが少なく機械化なども容易である。また、回転軸２０を軸受１の下方側から中心孔１Ａ内に挿通させ、回転軸２０に設けられたリング状突出部２０Ａで回転軸２０の上方への抜け止めが図れる構成であるため、従来のようにＣ形の止めリングなどの部材を別途装着する工程などをなくせて主要本体部分の製作工数の削減効果も期待できる。また、当該回転軸２０の形状であれば、回転軸２０を側方側などで割る簡素な二面割りの金型で安価に形成することもでき、金型製作期間も短く済んで費用も安く済む。また、同様に係止部材４０においても上下側で割る二面割りの金型で安価に形成することができる。さらに、完成品としての軸長を軸長調整軸３０で設定するものであるため、回転軸２０の長さを統一化して主要本体部分のまとめ生産を行うこともでき、組み立て設備の切り替えロスなども少なくできて合理的な生産が可能となり、製品単価も低く抑えられる。
【００４８】
さらに、つまみ３が装着される軸長調整軸３０の上部部分の径を大きく設定することも可能であり、その径が大きくなるほど、つまみ３の装着ガタツキなどが少ないものに構成できる。
【００４９】
なお、上記にはプッシュスイッチ付回転型エンコーダを例として説明したが、本発明による思想は、プッシュスイッチを備えていない回転型エンコーダや他の回転型電子部品（可変抵抗器や回転型スイッチ）などにも適用することができる。
【００５０】
また、上記軸長調整軸３０と回転軸２０との係合部分は、各種展開が図れる。
【００５１】
例えば、上記には拡大部２７の平坦な下方内壁面を利用しつつ突起３５を回転移動させるものについて説明したが、回転軸２０に対する軸長調整軸３０の軸線方向への挿入距離で管理して回転軸２０または軸長調整軸３０の回転移動動作を行うならば、拡大部は係合溝内の中間位置などに構成してあってもよい。
【００５２】
また、図９に示すように、拡大部２７のみで構成された係合溝が上端位置に形成された回転軸５０であっても上記軸構成の係合は可能である。つまり、この場合でもそれに応じた軸長調整軸３０を軸線方向で移動させて突起３５を上記係合溝である拡大部２７内に挿入させ、続いて軸長調整軸３０または回転軸５０を回転移動させて突起３５を拡大部２７内で移動させ、その一方の側端面を拡大部２７の対応する一方の内壁面に当接させる。その後、軸長調整軸３０の上方から上記係合溝に対応する係止部材４０を組み合わせ、その線状部４５を、突起３５の他方の側端面と拡大部２７の他方の内壁面間に圧入状態で挿入させることにより突起３５を側方に圧接状態で押し当てて係止させればよい。なお、当該構成のものの場合、突起３５の上方側への移動規制が確実になされるように、線状部に段部を備えさせ、上記係止状態で突起３５の上方側にその段部が位置する構成としてもよい。
【００５３】
以上のように、本発明によるものは、回転軸２０、５０と軸長調整軸３０とが、簡素な凹凸部分での係合で、その抜け止めが軸線方向に沿って平行に直線状に伸びる係止部材４０の線状部４５で確実になされたものに簡素な工程で構成できて、顧客から要望された軸長のものを適宜製作して提供することができることから、少量多品種のものなどにも適用できる有用なものである。
【００５４】
（実施の形態２）
当該実施の形態は、上記実施の形態１によるものに対し、回転軸と軸長調整軸との係合部分の凹凸関係を逆構成で設けて係合させたものである。このため、要部となる軸構成の部分を主として以下に説明する。なお、実施の形態１によるものと略同一の構成部分には同一符号を付して説明を省略する。
【００５５】
図１０は本発明の第２の実施の形態による回転型エンコーダの軸部分における組み合わせ前の分解斜視図である。
【００５６】
同図において、６０は、図示しないケース部１０上に結合された軸受１の中心孔１Ａに挿通されて回転操作および押し込み操作可能に保持された機能素子部作動用の回転軸である。
【００５７】
この回転軸６０は、中間位置に軸受１の中心孔１Ａよりも大径のリング状突出部６０Ａを備え、そこから上方位置が軸受１の中心孔１Ａに回転可能に保持される第一円柱部６０Ｂ、さらに上記第一円柱部６０Ｂからの上方部分が第一円柱部６０Ｂよりも細径の第二円柱部６０Ｃとして構成されている。第一円柱部６０Ｂの長さ寸法は、押し込み操作された際、中心孔１Ａ内から第一円柱部６０Ｂが外れない寸法設定で形成されている。なお、この回転軸６０も上記中心孔１Ａ内に下方から挿入されて軸受１に組み合わされて上方への抜け止めがリング状突出部６０Ａでなされていること等は実施の形態１によるものと同じである。なお、回転軸６０の軸受１からの上方への抜け止め方式は特に限定されない。
【００５８】
そして、第二円柱部６０Ｃの上端側面位置の外周円周面には、略直方体状の突起６１が側方に突出させて形成されている。その突起６１は、回転軸６０の回転中心軸線に対して対称となる二箇所の位置でその外周円周面に配されている。なお、その突起６１どうし間における径寸法は、第一円柱部６０Ｂの径内に収まる寸法で設定されている。
【００５９】
一方、上記回転軸６０に一体化される軸長調整軸７０は、少なくとも下端部が筒状であると共に、その円形の中心孔の内周円周面を含めて上下の軸線方向に貫通した係合溝７５が各突起６１に対応させてそれぞれ設けられている。個々の係合溝７５は、実施の形態１によるものの場合と同様に略Ｌ字状に形成され、突起６１より広幅で軸線方向に直線状に設けられた下方溝部７６と、その下方溝部７６上方に繋がり溝幅が側方に広がる拡大部７７とからなる。なお、そのＬ字構成は実施の形態１によるものとほとんど同じであるため、その詳細説明などは省略する。なお、以下では図１０に示した係合溝７５において上記拡大部７７の広がった方向側を右、その逆の方向側を左と定義して説明する。そして、４０は、上記係合溝７５に応じた直線状の線状部４５を備えた係止部材である。
【００６０】
ここで、当該実施の形態によるものの回転軸６０と軸長調整軸７０とを一体化させる際の製造方法について説明する。
【００６１】
まず、軸受１に下方側から回転軸６０を挿入させ、その回転軸６０で図示しない機能素子部を作動可能なように主要本体部分に組み合わせ、次に、図１１に実線矢印で示すように、軸受１から突出した回転軸６０の上部部分に対し軸長調整軸７０を軸線方向に移動させつつ挿入させていく。このとき、図１２に示すように各突起６１を各下方溝部７６内に挿入させていき、その突起６１が拡大部７７内まで挿入された時点で、続いて突起６１が拡大部７７の右側に広がった領域内に位置するように、回転軸６０または軸長調整軸７０を回転させる。なお、図１２および以下の図１３では、判り易くするため、回転軸６０を突起６１のみの図示としている。
【００６２】
上記回転移動は、突起６１の右側の側端面が上記右側に広がった領域の右側内壁面に当接して停止され、その状態で突起６１の左側の側端面は下方溝部７６の右側内壁面よりも若干突出した位置になる。上記配置とするには、拡大部７７の右側に広がる幅に対し、突起６１の幅寸法を若干大きい寸法のものとしておけばよい。
【００６３】
最後に、図１３に示すように、軸長調整軸７０の上方側から係止部材４０の線状部４５を各係合溝７５に挿入させていく。この挿入で突起６１の左側の側端面と拡大部７７の左側内壁面との間に線状部４５が圧入状態で挿入されていき、突起６１が側方への圧接状態となって上記突起６１の側方などへの移動規制がなされた係止状態のもの、すなわち軸長調整軸７０が回転軸６０とガタツキなく一体化された図１４に示す状態のものとして完成される。なお、図１４にも示したように、突起６１の上方への移動規制を線状部４５周囲の段部などで行う構成とするとさらに好ましい。
【００６４】
上記のようにして製造された当該実施の形態によるものも、回転軸６０や軸長調整軸７０などを軸線方向に移動させたり回転移動させる工程を経て、突起６１が拡大部７７の側方に広がった領域内に位置すると共に、その抜け止めが軸線方向に沿って平行に直線状に伸びる係止部材４０の線状部４５で確実になされた一体構成のものにでき、所望の軸長のものを容易かつ適宜生産することが可能となる。なお、回転軸６０を標準化することにより回転型電子部品の主要本体部分を標準的にまとめ生産できるなどの利点は実施の形態１の場合と同じである。
【００６５】
なお、上記軸長調整軸７０と上記回転軸６０との係合部分は、例えば、拡大部を係合溝の下端位置や中間位置に構成して係止部材４０の線状部４５によって同様にして係止させたり、また、その中間位置に構成されたものにおいては、実施の形態１によるものと同様に突起６１の回転移動で突起６１の上下端面のいずれかを拡大部の側方に広がった領域の上方および下方内壁面間に圧入保持させるものなどとしてもよい。
【産業上の利用可能性】
【００６６】
本発明による回転型電子部品は、顧客から要望された軸長のものに対し、軸長調整軸を軸線方向に沿って伸びる係止部材の線状部で主要本体部分に一体化させて係止させるのみで対応できるため、主要本体部分を標準化できると共に、軸長の異なる多彩なものが容易に構成でき、短納期化などの対応が可能となる等の効果を有し、各種電子機器の入力操作部を構成する際等に用いられる回転型電子部品などに有用である。
【図面の簡単な説明】
【００６７】
【図１】本発明の第１の実施の形態による回転型エンコーダの断面図
【図２】同要部である軸部分における組み合わせ前の分解斜視図
【図３】同製造方法を説明する図
【図４】同製造方法を説明する図
【図５】同製造方法を説明する図
【図６】同製造方法を説明する図
【図７】同製造方法を説明する図
【図８】同製造方法を説明する図
【図９】同他の軸構成事例を示す分解斜視図
【図１０】本発明の第２の実施の形態による回転型エンコーダの軸部分における組み合わせ前の分解斜視図
【図１１】同製造方法を説明する図
【図１２】同製造方法を説明する図
【図１３】同製造方法を説明する図
【図１４】同製造方法を説明する図
【図１５】従来の回転型エンコーダの断面図
【図１６】同要部である軸受と操作軸の組み立て状態を示す図
【符号の説明】
【００６８】
１  軸受
１Ａ  中心孔
３  つまみ
５  エンコーダ部
６  回転体
７  スイッチ部
８  可動接点体
９  バネ体
１０  ケース部
２０、５０、６０  回転軸
２０Ａ、６０Ａ  リング状突出部
２０Ｂ  円柱部
２０Ｃ  非円形断面部
２０Ｄ  後端部
２５、７５  係合溝
２６  上方溝部
２７、７７  拡大部
３０、７０  軸長調整軸
３０Ａ  内周中間段部
３５、６１  突起
４０  係止部材
４１  キャップ部
４５  線状部
６０Ｂ  第一円柱部
６０Ｃ  第二円柱部
７６  下方溝部
【図１】
0004701981.tif 000002
【図２】
0004701981.tif 000003
【図３】
0004701981.tif 000004
【図４】
0004701981.tif 000005
【図５】
0004701981.tif 000006
【図６】
0004701981.tif 000007
【図７】
0004701981.tif 000008
【図８】
0004701981.tif 000009
【図９】
0004701981.tif 000010
【図１０】
0004701981.tif 000011
【図１１】
0004701981.tif 000012
【図１２】
0004701981.tif 000013
【図１３】
0004701981.tif 000014
【図１４】
0004701981.tif 000015
【図１５】
0004701981.tif 000016
【図１６】
0004701981.tif 000017